(57)【特許請求の範囲】
【請求項１】
少なくとも天井板または底板、および前記天井板または底板の両側部から直角に延びる一対の側板を有する筐体と、前記天井板側または底板側に片寄った位置で筐体の内部から筐体の前方へ突出する突出移動部と、前記側板の内面に隙間を有して対向する部分を有して前記突出移動部を案内する案内部材と、前記筐体の前部に設置される化粧ノーズと、が設けられた電子機器において、
前記化粧ノーズは、筐体の前部で前記突出移動部の突出領域以外の領域を塞ぐ本体部と、この本体部の両側部から延びて前記突出領域の両側で且つ筐体の両側板の前方に設置される互いに独立した一対の側枠部とを有し、
前記それぞれの側枠部には、筐体側へ延びる挿入突起が設けられ、この挿入突起が、前記案内部材と前記側板の内面との間の前記隙間内に入り込むことで、前記側枠部が位置決めされていることを特徴とする突出移動部を有する電子機器。
【請求項２】
前記それぞれの側枠部には筐体側へ延びる支持片が設けられ、この支持片が前記筐体の側板の外面に設置され、この支持片と前記挿入突起とで前記筐体の側板が挟まれている請求項１記載の突出移動部を有する電子機器。
【請求項３】
前記案内部材は、前記筐体の側板に対して直交している案内面と、前記側板と平行な補強部とを有し、突出移動部が前記案内面に沿って移動し、前記側板と前記補強部との間の隙間に前記挿入突起が入り込んでいる請求項１または２記載の突出移動部を有する電子機器。
【請求項４】
前記筐体は金属板で形成され、天井板または底板の前縁部が二つ折りされており、この二つ折りされた部分が、前記一対の側枠部の間に位置している請求項１ないし３のいずれかに記載の突出移動部を有する電子機器。
【請求項５】
前記突出移動部には、前面に表示部および／または操作部を備えた回動部が設けられ、前記突出移動部が筐体の前方へ突出した状態で、前記回動部が前記ケースの前方で前記前面がケース前方へ向く立ち上がり姿勢へ回動させられる請求項１ないし４のいずれかに記載の突出移動部を有する電子機器。
【発明の詳細な説明】
【０００１】
【発明の属する技術分野】
本発明は、例えば表示部材や操作部材を支持している突出移動部が、筐体の前方から突出する電子機器に係り、特に筐体の前部を塞ぐ化粧ノーズを安定して取付けることのできる電子機器に関する。
【０００２】
【従来の技術】
図８は従来の車載用電子機器を示す部分斜視図である。
筐体１は金属板で形成された箱状のものであり、この筐体１は１ＤＩＮサイズであり、自動車の車室内のダッシュボードなどに埋設される。筐体１の前部には合成樹脂製の化粧ノーズ２が取付けられる。この化粧ノーズ２には開口部３が形成されており、この開口部３以外の部分では、化粧ノーズ２の前面に押釦などの操作部材が配置されている。
【０００３】
筐体１内には、前記開口部３から前方へ突出する突出移動部６が設けられている。この突出移動部６は、支持部材４とこの支持部材４に軸４ａで回動自在に連結された機器本体（回動部）５とから成る。機器を使用していないときには、前記突出移動部６は、前記機器本体５が水平姿勢のまま筐体１内に収納されている。突出操作釦などを押すと、突出移動部６が開口部３から筐体１の前方へ突出移動する。さらに、突出移動部６の機器本体５が前記軸４ａを支点として矢印方向へ回動して機器本体５が立ち上がり姿勢となる。機器本体５には液晶パネルなどの表示画面が設けられ、機器本体５が立ち上がり姿勢となったときに表示画面が筐体１の前方に向けられる。
【０００４】
【発明が解決しようとする課題】
図８に示すものでは、突出移動部６が突出する開口部３の全周囲を枠状の化粧ノーズ２が囲む形状である。このように突出移動部６の移動領域の上方に化粧ノーズ２の上端部２ｂが位置していると、突出移動部６の移動領域を筐体１の天井板１ａ側に接近させることに限界がある。そのため、化粧ノーズ２の操作面２ａの面積が狭くなり多くの操作部材を配列できなくなる。また筐体１の内部では前記突出移動部６の移動領域が、筐体１内の空間の中腹部に位置するため、前記移動領域より下側の空間が狭くなって、前記操作面２ａの内側にディスクドライブ装置などを配置する余裕を確保できなくなる。
【０００５】
上記の欠点を解消するために、突出移動部６の移動領域を筐体１の天井板１ａ側にさらに片寄らせることもできる。しかしこの場合には、化粧ノーズ２の開口部３を上方へ貫通させて化粧ノーズをコの字形状にしなくてはならなくなる。その結果、化粧ノーズの強度が弱くなり、また化粧ノーズが変形しやすくなる。
【０００６】
本発明は上記従来の課題を解決するものであり、突出移動部の突出領域を筐体の天井板または底板側へ大きく片寄らせたものであっても、化粧ノーズを変形することなく安定して取付けることができるようにした突出移動部を有する電子機器を提供することを目的としている。
【０００７】
【課題を解決するための手段】
本発明は、少なくとも天井板または底板、および前記天井板または底板の両側部から直角に延びる一対の側板を有する筐体と、前記天井板側または底板側に片寄った位置で筐体の内部から筐体の前方へ突出する突出移動部と、前記側板の内面に隙間を有して対向する部分を有して前記突出移動部を案内する案内部材と、前記筐体の前部に設置される化粧ノーズと、が設けられた電子機器において、
前記化粧ノーズは、筐体の前部で前記突出移動部の突出領域以外の領域を塞ぐ本体部と、この本体部の両側部から延びて前記突出領域の両側で且つ筐体の両側板の前方に設置される互いに独立した一対の側枠部とを有し、
前記それぞれの側枠部には、筐体側へ延びる挿入突起が設けられ、この挿入突起が、前記案内部材と前記側板の内面との間の前記隙間内に入り込むことで、前記側枠部が位置決めされていることを特徴とするものである。
【０００８】
本発明では、前記一対の側枠部の先部どうしが連結されておらず化粧ノーズがコの字形状である。この化粧ノーズが筐体の前部に取付けられるときに、前記側枠部に設けられた挿入突起が、案内部材と筐体の側板との間に入り込む。したがって、前記側枠部の変形を防止でき筐体の前部に安定して設置できる。
【０００９】
この種の機器では、突出移動部を案内するための案内部材を筐体内に設けることが必要となる。したがって突出移動部の幅寸法を筐体の幅寸法へ近づけた場合でも、突出移動部の両側には案内部材を設けるスペースを空けておくことが必須である。本発明は、この案内部材を設置するスペースを有効に利用し、このスペース内に前記挿入突起を入り込ませて側枠部の設置を安定化している。このように突出移動部の移動領域の両側方のスペースを有効利用しているため、挿入突起を差し込むための特別なスペースを設けることが不要になり、筐体内にできるだけ幅の大きい突出移動部を設置することができる。
【００１０】
また、前記それぞれの側枠部には筐体側へ延びる支持片が設けられ、この支持片が前記筐体の側板の外面に設置され、この支持片と前記挿入突起とで前記筐体の側板が挟まれていることが好ましい。
【００１１】
上記構造では、前記側枠部が筐体の側板に拘束されるために、側枠部が変形しにくくなる。
【００１２】
本発明では、例えば、前記案内部材は、前記筐体の側板に対して直交している案内面と、前記側板と平行な補強部とを有し、突出移動部が前記案内面に沿って移動し、前記側板と前記補強部との間の隙間に前記挿入突起が入り込んでいるものとすることができる。
【００１３】
案内部材に前記補強部を設けると、突出移動部の重量が大きくても案内部材で確実に案内できるようになる。この場合に前記補強部と筐体の側板との隙間を利用し、この隙間内に挿入突起を差し込むことにより、案内部材の設置領域を効率よく利用して側枠部を支持できるようになる。
【００１４】
さらに、前記筐体は金属板で形成され、天井板または底板の前縁部が二つ折りされており、この二つ折りされた部分が、前記一対の側枠部の間に位置しているものとすることが可能である。
【００１５】
このように筐体の天井板または底板を二つ折りすることにより、この天井板または底板の前縁部に化粧ノーズが嵌合していなくても、前記前縁部の強度を高くでき、前記天井板または底板の変形を防止できる。
【００１６】
例えば、本発明では、前記突出移動部には、前面に表示部および／または操作部を備えた回動部が設けられ、前記突出移動部が筐体の前方へ突出した状態で、前記回動部が前記ケースの前方で前記前面がケース前方へ向く立ち上がり姿勢へ回動させられるものとすることが可能である。
【００１７】
ただし前記突出移動部は、筐体内に装填される各種ディスクなどの記録媒体を筐体の内外へ搬送するもので、例えばディスクを設置したトレイなどであってもい。
【００１８】
【発明の実施の形態】
図１は本発明の実施の形態として、車載用電子機器の筐体前部の構造を示す分解斜視図、図２は前記筐体前部の組立状態を示す部分斜視図、図３は化粧ノーズを外した状態での筐体前部の部分正面図、図４ないし図７は突出移動部の移動動作を化粧ノーズを外した状態で示す側面図である。
【００１９】
図１以下に示す車載用電子機器は、箱状の筐体１１を有している。図では、筐体１１が金属板でコの字状に折り曲げられており、天井板１２と、この天井板１２の両側部から直角に折り曲げられた側板１３，１３とを有している。筐体１１の底部には、図示しない底板が組み付けられ、底板と前記側板１３，１３とがねじなどで固定される。図１に示すように、前記天井板１２の前縁部には、筐体１１を構成する金属板が部分的に二つ折りされた二つ折り部１２ａが設けられている。この二つ折り部１２ａが形成されていることにより、その前方に化粧ノーズ４０が嵌合していなくても、前記前縁部の強度を高め、天井板１２の平坦度を確保できる。
【００２０】
図４などに示すように、筐体１１内では、天井板１２側に片寄った部分が、突出移動部２０の収納・移動領域１４である。これに対応して、筐体１１の前部の上方領域が前記突出移動部２０の突出領域１６（図１、図４参照）となっている。また筐体１１の前記収納・移動領域１４よりも下側のスペースが機構・回路収納領域１５である。図の実施の形態では、この機構・回路収納領域１５内に、ＭＤ（ミニディスク）を駆動するディスクドライブ機構が収納される。またこの機構・回路収納領域１５内には、ディスク駆動用の回路、チューナ、アンプ、電源回路などの各種電子回路が収納されている。
【００２１】
また筐体１１の両側板１３，１３の内側には、前記突出移動部２０を案内する案内部材３０が設けられている。また前記筐体１１の前部には、前記突出移動部２０の突出領域１６以外の領域を覆う化粧ノーズ４０が取付けられる。
【００２２】
前記突出移動部２０は、移動部材２１と、この移動部材２１の内部に支持されている支持部材２２と、この支持部材２２に支持された機器本体（回動部）２３とから構成されている。
【００２３】
前記移動部材２１は筐体１１の両側板１３，１３の内面に対向して配置され、移動部材２１の外側面にはそれぞれ２個のローラ２４が回転自在に支持されている。前記案内部材３０は案内レールであり、金属板で断面がＬ型に折り曲げられている。図１および図３に示すように、前記案内部材３０は、前記側板１３，１３に直交して取付けられた案内面３１と、前記側板１３と平行に延びる補強部３２とを有している。また前記案内面３１にはカシメ部３３が一体に形成されており、このカシメ部３３が、側板１３に嵌合してカシメられて、案内部材３０が側板１３，１３に固定されている。
【００２４】
図１に示すように、前記ローラ２４が、前記案内部材３０の案内面３１と、筐体１１の天井板１２の下面（内面）との間に最小の隙間で転動するように挿入されている。これにより、移動部材２１が筐体１１内で前後に移動できるようになる。
【００２５】
前記案内部材３０により案内されている前記移動部材２１は、図１、図２、図４、図５に示す収納位置から、図６と図７に示す突出位置へ移動する。前記のようにこの移動は前記ローラ２４が案内部材３０の案内面３１と天井板１２との間を転動することにより行われる。前記移動部材２１の移動距離はＬ１（図６、図７参照）である。なお、図１と図２などに示すように、移動部材２１が前記収納位置にあるとき、前記移動部材２１の先部２１ａが筐体１１の前部よりもさらに前方へ突出している。
【００２６】
図５に示すように、移動部材２１内には支持部材２２が移動自在に取付けられている。図７に示すように、移動部材２１内での支持部材２２の移動距離はＬ２である。この支持部材２２の先部に前記機器本体（回動部）２３が連結軸２５により回動自在に連結されている。前記支持部材２２が前記距離Ｌ２だけ前方へ移動すると、前記機器本体２３は水平姿勢のまま筐体１１の前方へ突出する。
【００２７】
図７に示すように突出している機器本体２３が前記連結軸２５を支点として上方へ立ち上がり回動すると、機器本体２３の前面２３ａに設けられた表示部（液晶ディスプレイなどの表示部）および／または操作部が、筐体１１の前方へ対面し、筐体１１の前方から前記表示部を目視でき、または前記操作部を操作できるようになる。
【００２８】
前記移動部材２１の距離Ｌ１の移動、支持部材２２の距離Ｌ２の移動、さらに機器本体２３の立ち上がり姿勢への回動は、全て手動で行うことができる。すなわち図４の状態から機器本体２３を手で前方へ引張ってさらに持ち上げることにより図７に示すような立ち上がり姿勢に移行できる。ただし、前記移動部材２１をモータの動力で距離Ｌ１だけ移動させ、その後に支持部材２２をモータの動力で距離Ｌ２だけ移動させ、さらに機器本体２３をモータの動力で立ち上がり姿勢へ回動させる構造も可能である。
【００２９】
前記機器本体２３は、立ち上がり姿勢で前方を向く前面２３ａに前記表示部や操作部が設けられているが、さらに図１と図２に示すように、上面２３ｂにも操作釦２６などの各種操作部材が配列している。図１と図２に示すように突出移動部２０が収納状態のとき、前記機器本体２３の上面２３ｂが、筐体１１の前方で、前記移動部材２１の先部２１ａと同じ位置まで突出している。よってこの状態で前記上面２３ｂに設けられた操作釦２６などを操作可能である。例えば、移動部材２１、支持部材２２がモータの動力で筐体１１の前方へ移動する場合には、前記操作釦２６を押すことにより前記モータを始動させることができる。
【００３０】
図１に示すように、前記化粧ノーズ４０は合成樹脂で形成されたものであり、前記筐体１１の前部に設置される。
【００３１】
化粧ノーズ４０は、筐体１１の前部での前記突出領域１６以外の領域、すなわち前記機構・回路収納領域１５の前方を覆う本体部４１と、この本体部４１の両側部に一体に設けられている側枠部４２，４２とを有している。前記側枠部４２，４２は、その突出部４２ａ，４２ａが前記本体部４１よりも上方へ延びている。側枠部４２，４２の突出部４２ａ，４２ａは互いに連結されずに独立している。また側枠部４２，４２の先端４２ｂ，４２ｂには側枠部４２と４２とが対向する方向へＬ字形状に突出するリブ４２ｂ１が一体に形成されている。
【００３２】
図１に示すように、それぞれの側枠部４２，４２の突出部４２ａ，４２ａには、筐体１１の方向へ延びる板状の挿入突起４３が一体に形成されている。また側枠部４２，４２には、突出部４２ａ，４２ａと前記本体部４１との境界部において、筐体１１の方向へ延びる支持片４４が一体に形成されている。この支持片４４には取付穴４４ａが穿設されている。
【００３３】
図３に示すように、化粧ノーズ４０を筐体１１の前部に設置するときには、前記挿入突起４３が、筐体１１の側板１３の内面と、前記案内部材３０の補強部３２との間の隙間内に差し込まれる。このとき、挿入突起４３が、側板１３と補強部３２との間でほとんど隙間なく挿入される。これにより前記側枠部４２，４２の突出部４２ａ，４２ａが側板１３の内方および外方へ変形できないように拘束される。
【００３４】
また、前記支持片４４は、筐体１１の側板１３の外面に設置され、取付けねじ４５が取付穴４４ａに挿入され、側板１３に形成された雌ねじ穴１３ａに螺着される。これにより化粧ノーズ４０が筐体１１から前方へ外れないように固定される。なお、側枠部４２から延びる挿入突起４３が側板１３の内面に、支持片４４が側板１３の外面に設置されて、側板１３が挿入突起４３と支持片４４とで挟まれる状態になるため、これによっても側枠部４２の突出部４２ａが変形するのを防止できる。
【００３５】
さらに、図２に示すように、側枠部４２の先端４２ｂから側方へ突出しているリブ４２ｂ１が、前記天井板１２の二つ折り部１２ａの側方に一致する。図２に示すように、前記リブ４２ｂ１の板厚Ｔと二つ折り部１２ａの板厚はほぼ一致しており、またリブ４２ｂ１の先端が二つ折り部１２ａの両側端に密着する。これにより前記二つ折り部１２ａがリブ４２ｂ１と連続しているような外観を呈することができ、また収納状態の前記移動部材２１および機器本体２３の外周に隙間無く連続する枠を構成することができる。
【００３６】
なお、化粧ノーズ４０が筐体１１の前部に取付けられた状態では、本体部４１により、筐体１１の前部にて機構・回路収納領域１５の前方が覆われる。また本体部４１の前面には、筐体１１内のディスクドライブ機構へＭＤなどの記録媒体を挿入し排出するために挿入・排出口４６が開口している。また本体部４１の前面には各種操作部材４７が配列している。
【００３７】
上記実施の形態では、化粧ノーズ４０の両側部の側枠部４２，４２のうちの片持ち状態で延びる突出部４２ａの先端４２ｂは天井板１２の二つ折り部１２ａの両側部に密着して支えられているが、前記突出部４２ａの高さ方向の中腹部が変形しやすい。しかしこの中腹部に前記挿入突起４３が設けられて、これが側板１３と案内部材３０との隙間に差し込まれているため、前記突出部４２ａが変形することがなくなる。
【００３８】
なお、本発明では、突出移動部２０の突出領域１６が、筐体１１の底板側へ片寄った位置に配置され、化粧ノーズ４０の突出部４２ａ，４２ａが底板側へ延びているものであっても同様に実施することができる。
【００３９】
【発明の効果】
以上のように本発明では、突出移動部の突出領域を筐体内の天井板側または底板側へ片寄らせて設置した場合でも、コの字形状の化粧ノーズの側枠部を変形すること無く安定して取付けることができる。
【００４０】
また筐体内を移動する突出移動部の両側部を案内する案内部材を設けたことにより必然的に形成される隙間に、側枠部から延びる挿入突起を入り込ませているため、筐体内の残余スペースを有効利用して、前記化粧ノーズを安定して設置できるようになる。
【図面の簡単な説明】
【図１】本発明の実施の形態として車載用電子機器の筐体前部の構造を示す分解斜視図、
【図２】前記筐体前部に化粧ノーズが取付けられた状態を示す部分斜視図、
【図３】前記筐体前部を化粧ノーズを外した状態で示す部分正面図、
【図４】突出移動部が筐体内に収納された状態を示す側面図、
【図５】突出移動部の構造をさらに詳しく示す側面図、
【図６】移動部材が距離Ｌ１だけ前進した状態を示す側面図、
【図７】移動部材内で支持部材が距離Ｌ２だけ前進した状態を示す側面図、
【図８】従来の車載用電子機器の筐体前部の構造を示す斜視図、
【符号の説明】
１１  筐体
１２  天井板
１２ａ  二つ折り部
１３  側板
１６  突出領域
２０  突出移動部
２１  移動部材
２２  支持部材
２３  機器本体（回動部）
３０  案内部材
３１  案内面
３２  補強部
４０  化粧ノーズ
４１  本体部
４２  側枠部
４２ａ  突出部
４３  挿入突起
４４  支持片
【図１】
0003824449.tif 000002
【図２】
0003824449.tif 000003
【図３】
0003824449.tif 000004
【図４】
0003824449.tif 000005
【図５】
0003824449.tif 000006
【図６】
0003824449.tif 000007
【図７】
0003824449.tif 000008
【図８】
0003824449.tif 000009